(57)【要約】【課題】ＥＭＩノイズをアースすることができる端子用のカバーを端子に安定接触させることができる電子機器、映像表示装置及びテレビジョン放送受信機を提供する。【解決手段】電極部８ａを有する端子８及び電子部品が一面に実装されている制御回路基板７１の一面に対向する広板部９１及び該広板部９１の縁に連なり、制御回路基板７１の周面に対向する狭板部９２を有するカバー９の広板部９１に、端子８の電極部８ａ周りに接触する接触部９６を設け、狭板部９２に、制御回路基板７１を支持する支持部９４及び接触電極部８ａと対向する開口９５を設け、ＥＭＩノイズを接触部９６からカバー９を経て接地側部材６にアースするようにした。【選択図】図９
2013093815.tif 000002
【特許請求の範囲】
【請求項１】
電子部品が実装されている回路基板における端子を被覆する導電性のカバーを備える電子機器において、前記カバーは、前記回路基板を支持する支持部及び前記端子の外面に接触する接触部を有することを特徴とする電子機器。
【請求項２】
前記支持部は少なくとも前記端子が実装されている側に配してある請求項１記載の電子機器。
【請求項３】
前記支持部及び接触部は一体に形成されている請求項１又は２記載の電子機器。
【請求項４】
前記カバーは、前記接触部が接触する位置から離隔した位置の前記外面に接触する第２の接触部を有する請求項１から３のいずれか一つに記載の電子機器。
【請求項５】
前記端子は、電極部が前記回路基板の縁に臨むように配されており、前記カバーは、前記回路基板の一面に対向する広板部及び該広板部の縁に連なり、前記回路基板の周面に対向する狭板部を有し、該狭板部に、前記端子の電極部と対向する開口を有する請求項１から４のいずれか一つに記載の電子機器。
【請求項６】
映像表示面を有する表示部及び前記カバーが取付けられる接地側部材を備え、請求項１から５のいずれか一つに記載の電子機器を含むことを特徴とする映像表示装置。
【請求項７】
テレビ放送信号を受信する受信部を備え、該受信部がテレビ放送信号を受信して前記表示部の映像表示面にテレビ画像を表示する請求項６に記載の映像表示装置を含むことを特徴とするテレビジョン放送受信機。
【発明の詳細な説明】
【技術分野】
【０００１】
本発明はＥＭＩノイズ（Electromagnetic Interference：電磁障害ノイズ）を低減することができる電子機器、映像表示装置及びテレビジョン放送受信機に関する。
【背景技術】
【０００２】
液晶テレビジョン等の薄型テレビジョン、ブルーレイディスク（ＢＤ）等の記録媒体を使用する記録再生機等の記録媒体装置等の端子を搭載する電子機器は、端子の接続電極部が外部へ露出し、該接続電極部が電子機器の外観部分になるため、端子用のカバーとして樹脂カバー、板金カバーが使用されている。
【０００３】
端子が搭載されている電子機器において、端子からアースすることにより、ＥＭＩノイズを低減可能であることは一般に知られており、接地側部材を前記板金カバーとする場合、該板金カバーを端子と安定接触させるために、端子が実装されている回路基板に対してＥＭＩノイズ用のガスケットが使用され、該ガスケットを端子用の板金カバーと端子との間に挾むことにより、ＥＭＩノイズを低減することができるように構成されている。
【０００４】
ＥＭＩノイズを防止する構造として、回路基板に固定される固定板部、及び該固定板部の縁部から異なる方向へ延出された二つの接触板部を有する接触子を備え、該接触子の固定板部が回路基板に固定された状態で、一方の接触板部が端子に接触し、他方の接触板部が接地側部材に接触し、ＥＭＩノイズを接触子から接地側部材へアースするように構成されたＥＭＩノイズを防止する構造が知られている（例えば、特許文献１参照）。
【先行技術文献】
【特許文献】
【０００５】
【特許文献１】特開２００８−１７１６１６号公報
【発明の概要】
【発明が解決しようとする課題】
【０００６】
しかしながら、近年の薄型テレビジョンは、前側に表示面を有する表示部の後側にバックライト部を備えるに拘らず、益々薄型になっているため、ＥＭＩノイズ用のガスケット、及び特許文献１における接触子等の専用の部品をなくし、さらに端子と安定接触させることができる手立てを講じる必要がある。
【０００７】
本発明の出願人は、光源及び該光源を支持する金属製の支持板を有するバックライト部の前記支持板に、端子及び電子部品が実装されている回路基板と、端子用の鋼板カバーとが別個に装着されている電子機器の前記鋼板カバーに、端子側へ屈曲して端子の外面に接触する接触部を設けることにより、ガスケット等の専用の部品をなくし、ＥＭＩノイズを鋼板カバーから前記支持板に直接アースするように構成したものを先に開発した。
【０００８】
しかし、この電子機器にあっては、バックライト部の光源が発生する熱等によって接地側部材としての支持板に歪が発生し、該支持板が厚さ方向へ撓んだ際、支持板に装着されている回路基板とともに端子が支持板の撓み側へ偏倚するのに対し、比較的剛性が高い鋼板カバーは支持板の撓み側へ偏倚しないことになり、鋼板カバーの接触部が端子と非接触になる不具合が生じ、改善策が要望されていた。また、鋼板カバーの鋼板は一般の鉄板に比べて材料費が高いため、さらなるコスト低減策も要望されていた。
【０００９】
本発明は斯かる事情に鑑みてなされたものであり、主たる目的はＥＭＩノイズをアースすることができる端子用のカバーを端子に安定接触させることができ、且つ、端子のオフセンターを防止することができるとともに、端子用のカバーを比較的安価な材料で形成することができる電子機器、映像表示装置及びテレビジョン放送受信機を提供することにある。
【課題を解決するための手段】
【００１０】
本発明に係る電子機器は、電子部品が実装されている回路基板における端子を被覆する導電性のカバーを備える電子機器において、前記カバーは、前記回路基板を支持する支持部及び前記端子の外面に接触する接触部を有することを特徴とする。
【００１１】
この発明にあっては、ＥＭＩノイズをアースすることができる端子用のカバーが、端子が実装されている回路基板を支持しているため、カバーが装着される接地側部材の歪等に影響されることなく、カバーの接触部を端子に安定接触させることができ、接触不良をなくすることができ、しかも、端子用のカバーが接触部を有するため、ガスケット等の専用の部品を備えるものに比べて電子機器を薄型にすることができる。また、カバーが支持部及び接触部を有するため、端子のオフセンターを防止でき、鉄板等の比較的安価な材料製のカバーにすることができ、カバーのコスト、ひいてはカバーを備える電子機器のコストを低減できる。
【００１２】
また、本発明に係る電子機器は、前記支持部は少なくとも前記端子が実装されている側に配してある構成とするのが好ましい。
この発明にあっては、端子用のカバーに設けられている支持部と接触部との間で回路基板及び端子部分を挾むことができるため、接地側部材の歪等に影響されることなく、端子のオフセンターを防止しつつ、カバーの接触部を端子により一層安定接触させることができる。
【００１３】
また、本発明に係る電子機器は、前記支持部及び接触部は一体に形成されている構成とするのが好ましい。
この発明にあっては、端子用のカバーが成形される成形用型により支持部及び接触部が形成されるため、支持部及び接触部を有するカバーのコスト、ひいてはカバーを備える電子機器のコストをより一層低減できる。
【００１４】
また、本発明に係る電子機器は、前記カバーは、前記接触部が接触する位置から離隔した位置の前記外面に接触する第２の接触部を有する構成とするのが好ましい。
この発明にあっては、接触部及び第２の接触部が端子の外面に接触し、カバーの端子との接触面積を増加することができ、ＥＭＩノイズをより一層効率的にアースすることができる。
【００１５】
また、本発明に係る電子機器は、前記端子は、電極部が前記回路基板の縁に臨むように配されており、前記カバーは、前記回路基板の一面に対向する広板部及び該広板部の縁に連なり、前記回路基板の周面に対向する狭板部を有し、該狭板部に、前記端子の電極部と対向する開口を有する構成とするのが好ましい。
この発明にあっては、端子の電極部とカバーの開口との位置関係を、支持部と接触部とで維持することができるため、開口に挿脱されて電極部と接離される接続具の接離操作を正確に行うことができる。
【００１６】
また、本発明に係る映像表示装置は、映像表示面を有する表示部及び前記カバーが取付けられる接地側部材を備え、前述の電子機器を含むことを特徴とする。
この発明にあっては、ＥＭＩノイズをアースすることができる端子用のカバーが、電子部品及び端子が実装されている回路基板を支持しており、該カバーが接地側部材に取付けられているため、接地側部材の歪等に影響されることなく、カバーの接触部を端子に安定接触させることができ、接触不良をなくすることができるとともに、ガスケット等の専用の部品を備えるものに比べて映像表示装置を薄型にすることができ、また、カバーを備える映像表示装置のコストを低減できる。
【００１７】
また、本発明に係るテレビジョン放送受信機は、テレビ放送信号を受信する受信部を備え、該受信部がテレビ放送信号を受信して前記表示部の映像表示面にテレビ画像を表示する前述の映像表示装置を含むことを特徴とする。
この発明にあっては、テレビ放送信号を受信して前記表示部の表示面にテレビ画像を表示することができる。
【発明の効果】
【００１８】
本発明によれば、ＥＭＩノイズをアースすることができる端子用のカバーの接触部を、接地側部材の歪等に影響されることなく、端子に安定接触させることができ、接触不良をなくすることができるとともに、端子のオフセンターを防止することができ、しかも、ガスケット等の専用の部品を備えるものに比べて電子機器及びテレビジョン放送受信機を薄型にすることができる。また、鉄板等の比較的安価な材料製のカバーにすることができ、カバーのコスト、ひいてはカバーを備える電子機器、テレビジョン放送受信機のコストを低減できる。
【図面の簡単な説明】
【００１９】
【図１】テレビジョン放送受信機の概略構成を示す分解斜視図である。
【図２】液晶映像表示装置の概略構成を示す分解斜視図である。
【図３】本発明に係る電子機器の構成を示す背面図である。
【図４】本発明に係る電子機器の構成を示す一部を省略した正面図である。
【図５】本発明に係る電子機器の回路基板部分の構成を示す背面図である。
【図６】本発明に係る電子機器の回路基板部分の構成を示す拡大した平面図である。
【図７】本発明に係る電子機器のカバー部分の構成を示す斜視図である。
【図８】本発明に係る電子機器のカバー部分の構成を示す一部を拡大した斜視図である。
【図９】図５のIX−IX線拡大断面図である。
【図１０】図５のX −X 線拡大断面図である。
【図１１】本発明に係る電子機器のカバー部分の他の構成を示す拡大断面図である。
【図１２】本発明に係る電子機器のカバー部分の他の構成を示す拡大断面図である。
【発明を実施するための形態】
【００２０】
以下本発明をその実施の形態を示す図面に基づいて詳述する。説明は、前側に表示面を有し、略直方体をなす表示装置を例として説明する。表示装置はバックライト部を含む液晶の表示装置本体を搭載し、テレビ放送信号を受信する受信部を備え、該受信部がテレビ放送信号を受信してテレビ画像を前記表示面に表示するテレビジョン放送受信機を含む。図１はテレビジョン放送受信機の概略構成を示す分解斜視図、図２は液晶映像表示装置の概略構成を示す分解斜視図である。
【００２１】
テレビジョン放送受信機は、バックライト部を含む液晶表示部Ａと、該液晶表示部Ａを挾むようにして収容するキャビネットＢ，Ｃと、電源Ｄと、チューナＥと、スタンドＦとを備える映像表示装置にて構成される。液晶表示部Ａは、全体として横長の略直方体をなし、縦置き状態でキャビネットＢ，Ｃ内に収容されている。この液晶表示部Ａは、図２に示すように、表示パネルである液晶パネルＧと、外部光源であるバックライト部Ｈとを備え、液晶パネルＧ及びバックライト部Ｈなどが枠状のベゼルなどの保持枠体Ｊ，Ｋにより一体的に保持され、パネルモジュール（液晶表示部）を構成するようになっている。
【００２２】
実施の形態１
図３は本発明に係る電子機器の構成を示す背面図、図４は電子機器の構成を示す一部を省略した正面図、図５は電子機器の回路基板部分の構成を示す背面図、図６は電子機器の回路基板部分の構成を示す拡大した平面図、図７は電子機器のカバー部分の構成を示す斜視図、図８は電子機器のカバー部分の構成を示す一部を拡大した斜視図、図９は図５のIX−IX線拡大断面図、図１０は図５のX −X 線拡大断面図である。
【００２３】
図示した電子機器は、前側に表示面を有し、略直方体をなす液晶表示部Ａを備える薄型のテレビジョン放送受信機における前記液晶表示部Ａの後側に装着される光源装置である。
【００２４】
この光源装置は、碁盤目のように並置される光源としての複数の発光ダイオード１と、該発光ダイオード１を一面に実装してあり、複数列に並置される複数の発光ダイオード基板２と、隣合う発光ダイオード基板２，２同士を接続してある複数のコネクタ３と、発光ダイオード基板２の一面に取付けられて発光ダイオード１の頂部と対向し、該発光ダイオード１が発光した光を発散させる複数のレンズ４と、該レンズ４がその内部に配される貫通孔を有し、前記一面及びコネクタ３の一面に対向してレンズ４が発散した光を反射させる反射シート５と、発光ダイオード基板２をその一面に複数列に並べて支持する接地側部材６と、該接地側部材６の他面に装着された複数の回路基板７と、回路基板７夫々のうち、外部機器接続用の端子８が実装されている回路基板の少なくとも端子８の部分を被覆するカバー９とを備える。
【００２５】
発光ダイオード基板２は一面に回路部を有する短冊状をなし、略矩形をなす接地側部材６の一面に長さ方向及び幅方向に離隔して複数列に並置され、夫々の他面が一面に接触し、発光ダイオード基板２夫々が発する熱を接地側部材６に逃がすことができるようになしてある。発光ダイオード基板２夫々の一面には図３に示すように複数の発光ダイオード１を長さ方向に離隔して実装してあり、一面の長さ方向両端部には接続部が設けられている。
【００２６】
長さ方向一端が対向するように複数列に並置された発光ダイオード基板２において、各列の発光ダイオード基板２は、隣合う二つの接続部同士がコネクタ３にて接続され、一方の発光ダイオード基板２の非対向側接続部が後記する電源回路基板に第２コネクタにて接続され、他方の発光ダイオード基板２の非対向側接続部が後記する制御回路基板に第３コネクタにて接続されている。
【００２７】
接地側部材６は導電性を有する鉄板を成形してなり、略矩形をなす平板状の板部６１及び該板部６１の周縁に連なる枠部を有するケース形をなし、板部６１の一面６ａに発光ダイオード基板２を長さ方向及び幅方向に並べて収容支持してある。
【００２８】
板部６１におけるカバー９と対向する箇所には複数の取付孔が開設され、該取付孔にカバー９の周縁部が雄螺子にて取付けられている。
【００２９】
回路基板７は、第２コネクタにて発光ダイオード基板２の一方の接続部に接続され、発光ダイオード基板２に実装されている発光ダイオード１等の電子部品に電圧を供給する電源回路基板、第３コネクタにて発光ダイオード基板２の他方の接続部に接続され、電子部品を制御する制御回路基板、前記液晶表示部Ａを制御する制御回路基板７１等を有し、いずれも略四角形をなし、板部６１に沿って他面６ｂ側に配されている。
【００３０】
制御回路基板７１は略四角形をなし、電子部品７ａが実装されている一面７１ａの一辺側縁部に、外部機器接続用の複数の端子８が一辺に沿う方向に離隔して実装されている。
【００３１】
端子８は、一側に雌形の電極部８ａを有する略直方体をなし、電極部８ａが制御回路基板７１の一辺側の縁に臨むように、電極部８ａ周りの一面８ｂが制御回路基板７１の一面７１ａに接合されている。電極部８ａの接続口は略四角形をなしている。
【００３２】
カバー９は導電性を有する鉄板を成形してなり、制御回路基板７１の電子部品７ａ及び端子８が実装されている一面７１ａ側を覆い、略四角形をなす広板部９１と、該広板部９１の周縁に連なり、制御回路基板７１の周面に対向する四つの狭板部９２と、該狭板部９２の先端から外向きに屈曲され、板部６１と対向する四つの板状の鍔部９３と、狭板部９２の長手方向端部に連なり、制御回路基板７１の他面７１ｂに接触して該制御回路基板７１を支持する支持部９４とを有し、一つの狭板部９２に、端子８の電極部８ａと対向する複数の開口９５が設けられている。開口９５は、電極部８ａの接続口に対応して略四角形に形成されている。
【００３３】
広板部９１の端子側縁部には、端子８の電極部８ａ周りの他面８ｃに接触し、各開口９５の一辺部を兼ねる複数の接触部９６が並設されている。各接触部９６は、厚さ方向の断面形状が略Ｖ字形をなし、Ｖ字の頂部が端子８の電極部８ａ周りの他面８ｃに接触するようになしてある。各接触部９６の長手方向両側にはスリット９ａを設け、各接触部９６を可撓にしてある。広板部９１の端子側縁部は、厚さ方向へ屈曲する段部９ｂにて厚さ方向へ偏倚し、接触部９６の剛性を高くしてある。
【００３４】
支持部９４は、狭板部９２及び鍔部９３の長手方向端部に設けられる幅方向のスリット９ｃにて分断され、スリット９ｃ間の部片が内方へ折曲げられることにより形成されており、該支持部９４が制御回路基板７１の他面７１ｂに接合され、制御回路基板７１の周縁部を支持部９４に保持してある。
【００３５】
鍔部９３の長手方向両端側には、板部６１の前記取付孔に対応する貫通孔９ｄが開設されている。
【００３６】
以上のように構成された光源装置は、接地側部材６における板部６１の他面６ｂに、制御回路基板７１を支持してあるカバー９が載置され、該カバー９の鍔部９３に開設されている貫通孔９ｄから板部６１の取付孔へ雄螺子が螺入されることにより、カバー９及び制御回路基板７１が接地側部材６に取付けられる。この際、端子８用のカバー９の支持部９４が制御回路基板７１を支持し、接触部９６が端子８の他面８ｃに接触し、支持部９４及び接触部９６にて制御回路基板７１及び端子８を挾み込んでいるため、接地側部材６に歪等が発生する場合においても、該歪等に影響されることなく、カバー９の接触部９６を端子８に安定接触させることができ、ＥＭＩノイズを、カバー９の接触部９６、広板部９１、狭板部９２及び鍔部９３から接地側部材６にアースすることができる。しかも、支持部９４及び接触部９６にて制御回路基板７１及び端子８を挾み込んでいるため、電極部８ａの接続口とカバー９の開口９５との位置関係を維持することから所謂オフセンターを防止でき、開口９５に挿脱されて電極部８ａと接離される接続具の接離操作を正確に行うことができる。
【００３７】
カバー９は比較的安価な鉄板であり、しかも、カバー９の支持部９４及び接触部９６は一体に成形されているため、カバー９のコスト、ひいてはカバー９を備える電子機器のコストを低減できる。
【００３８】
実施の形態２
図１１は本発明に係る電子機器のカバー部分の他の構成を示す拡大断面図である。この電子機器は、接触部９６をなくし、端子８における電極部８ａ周りの一面８ｂで、電極部８ａの接続口部に凹形アース部８ｄを設け、該凹形アース部８ｄに接触する第２の接触部９７を、カバー９の狭板部９２に一体に設けたものである。
【００３９】
第２の接触部９７は、狭板部９２における各開口９５の他辺部側から厚さ方向内側へ屈曲し、凹形アース部８ｄに挿入されている。
【００４０】
この光源装置にあっては、カバー９の支持部９４が制御回路基板７１を支持し、第２の接触部９７が端子８における一面８ｂの凹形アース部８ｄに接触し、支持部９４及び第２の接触部９７にて制御回路基板７１を挾み込んでいるため、接地側部材６に歪等が発生する場合においても、該歪等に影響されることなく、カバー９の第２の接触部９７を端子８に安定接触させることができ、ＥＭＩノイズを、カバー９の第２の接触部９７、狭板部９２及び鍔部９３から接地側部材６にアースすることができる。しかも、支持部９４及び第２の接触部９７にて制御回路基板７１を挾み込んでいるため、電極部８ａの接続口とカバー９の開口９５との位置関係を維持することができ、開口９５に挿脱されて電極部８ａと接離される接続具の接離操作を正確に行うことができる。
その他の構成及び作用は実施の形態１と同様であるため、同様の部品については同じ符号を付し、その詳細な説明及び作用効果の説明を省略する。
【００４１】
実施の形態３
図１２は本発明に係る電子機器のカバー部分の他の構成を示す拡大断面図である。この電子機器は、端子８の他面８ｃに接触する接触部９６及び一面８ｂの凹形アース部８ｄに接触する第２の接触部９７をカバー９に設けたものである。
【００４２】
この光源装置にあっては、カバー９の支持部９４が制御回路基板７１を支持し、接触部９６，９７が端子８に接触し、支持部９４及び接触部９６，９７にて制御回路基板７１及び端子８を挾み込んでいるため、接地側部材６に歪等が発生する場合においても、該歪等に影響されることなく、カバー９の接触部９６，９７を端子８に安定接触させることができる。しかも、ＥＭＩノイズを、カバー９の接触部９６、広板部９１、狭板部９２及び鍔部９３から接地側部材にアースする系統と、第２の接触部９７、狭板部９２及び鍔部９３から接地側部材６にアースする系統との２系統からアースすることができ、カバー９の端子８との接触面積を増加することができるため、光源装置を備える表示装置の大型化に伴って、制御回路基板７１等の回路基板７及びカバー９が大型になっても、ＥＭＩノイズを効率よくアースすることができる。
【００４３】
以上のように二つの系統からアースする場合の接触部９６，９７は、略直方形をなす端子８の一面８ｂ，他面８ｃに接触する構造である他、一面８ｂ及び他面８ｃ間の側面に接触する構造であってもよく、その接触箇所は特に制限されない。
その他の構成及び作用は実施の形態１と同様であるため、同様の部品については同じ符号を付し、その詳細な説明及び作用効果の説明を省略する。
【００４４】
尚、以上説明した実施の形態では、雌形の電極部８ａを有する端子８が実装されている制御回路基板７１を端子部分とともに被覆するカバー９を備える構成としたが、その他、雄形の電極部８ａを有する端子８が実装されている制御回路基板７１を端子部分とともに被覆するカバー９を備える構成であってもよい。
【００４５】
また、以上説明した実施の形態では、回路基板を端子部分とともに被覆するカバー９を備える構成としたが、その他、カバー９は、端子が実装されている回路基板の端子部分だけを被覆する大きさとしてもよい。この場合におけるカバーは、端子の他面及び接続口周りを被覆し、接触部９６，９７の少なくとも一方及び支持部９４を有する構成であってもよいし、端子の接続口周りを被覆し、接触部９６，９７の少なくとも一方及び支持部９４を有する構成であってもよい。
【００４６】
また、以上説明した実施の形態では、略直方形をなす端子８の一面に接触する接触部９６、及び他面に接触する第２の接触部９７を有する構成としたが、その他、第２の接触部９７がなく、接触部９６だけを有する構成であってもよい。また、第２の接触部９７は、他面に接触する代わりに、一面及び他面間の側面に接触する構成としてもよい。
【００４７】
また、本発明に係る電子機器は、テレビ放送信号を受信する受信部を備える液晶テレビジョン等のテレビジョン放送受信機が備える光源装置である他、前記テレビジョン放送受信機であってもよいし、また、受信部がないパーソナルコンピュータ等の映像表示装置であってもよい。
【符号の説明】
【００４８】
６    接地側部材
７    回路基板
７ａ  電子部品
７１  制御回路基板
８    端子
８ａ  電極部
９    カバー
９１  広板部
９２  狭板部
９４  支持部
９５  開口
９６  接触部
９７  第２の接触部
【図１】
2013093815.tif 000003
【図２】
2013093815.tif 000004
【図３】
2013093815.tif 000005
【図４】
2013093815.tif 000006
【図５】
2013093815.tif 000007
【図６】
2013093815.tif 000008
【図７】
2013093815.tif 000009
【図８】
2013093815.tif 000010
【図９】
2013093815.tif 000011
【図１０】
2013093815.tif 000012
【図１１】
2013093815.tif 000013
【図１２】
2013093815.tif 000014